(57)【要約】【課題】熱負荷が大きい場所の環境をできるだけ目標環境に近づけることができる空気調和装置を提供する。【解決手段】空気調和部２、吹出口３、第１吸込口４、第２吸込口５、及びダンパ６を備える。第１吸込口４は第１空間Ｒ１から空気を取り込む。第２吸込口５は第１空間Ｒ１と異なる第２空間Ｒ２から空気を取り込む。ダンパ６は、第１吸込口４から空気を取り込む第１状態と第２吸込口５から空気を取り込む第２状態を切り替える。空気調和部２は、第１吸込口４または第２吸込口５から取り込まれた空気の空気調和を行う。吹出口３は、空気調和部２で空気調和された空気を第１空間Ｒ１へ供給する。【選択図】  図１
2004239461.tif 000002
【特許請求の範囲】
【請求項１】
第１空間（Ｒ１）から空気を取り込む第１吸込口（４）と、
前記第１空間（Ｒ１）と異なる第２空間（Ｒ２）から空気を取り込む第２吸込口（５）と、
前記第１吸込口（４）から空気を取り込む第１状態と前記第２吸込口（５）から空気を取り込む第２状態とを切り替える切替手段（６）と、
前記第１吸込口（４）または前記第２吸込口（５）から取り込まれた空気の空気調和を行う空気調和部（２）と、
前記空気調和部（２）で空気調和された空気を前記第１空間（Ｒ１）に供給する吹出口（３）と、
を備える、空気調和装置（１）。
【請求項２】
前記切替手段（６）の制御を行う切替選択部（２１）をさらに備える、
請求項１に記載の空気調和装置（１）。
【請求項３】
前記第１空間（Ｒ１）における空気の状態である第１検出値を検知する第１状態検知部（１１）をさらに備え、
前記切替選択部（２１）は、前記第１検出値に基づいて前記切替手段（６）の制御を行う、
請求項２に記載の空気調和装置（１）。
【請求項４】
前記切替選択部（２１）は、前記第２空間（Ｒ２）における空気の状態である第２検出値に基づいて前記切替手段（６）の制御を行う、
請求項２に記載の空気調和装置（１）。
【請求項５】
前記第１空間（Ｒ１）における空気の状態である第１検出値を検知する第１状態検知部（１１）をさらに備え、
前記切替選択部（２１）は、前記第１検出値及び第２検出値に基づいて前記切替手段（６）の制御を行う
請求項４に記載の空気調和装置（１）。
【請求項６】
前記切替選択部（２１）は、前記第１検出値から導出される第１指標値と前記第２検出値から導出される第２指標値とを比較し、前記第１指標値が前記第２指標値に対して所定の劣悪度条件より劣悪である場合に前記第２状態を選択するよう前記切替手段（６）を制御し、前記第１指標値が前記第２指標値に対して所定の良好度条件より良好である場合に前記第１状態を選択するよう前記切替手段（６）を制御する、
請求項５に記載の空気調和装置（１）。
【請求項７】
スケジュールの設定を行うスケジュール部（２２）をさらに備え、
前記切替選択部（２１）は、前記スケジュール部で設定されたスケジュールに基づいて前記切替手段（６）を制御する、
請求項２から６のいずれかに記載の空気調和装置（１）。
【請求項８】
前記第２空間（Ｒ２）は屋外の空間であり、
前記第２吸込口（５）は、外気を取り込む、
請求項１から７のいずれかに記載の空気調和装置（１）。
【請求項９】
前記第２空間（Ｒ２）の空気は、前記第１空間（Ｒ１）の空気よりも平均的に良好である、
請求項１から７のいずれかに記載の空気調和装置（１）。
【請求項１０】
前記第１空間（Ｒ１）の空気を排気する排気装置をさらに備える、
請求項８または９に記載の空気調和装置（１）。
【請求項１１】
請求項１から１０のいずれかに記載の空気調和装置（１）と、
前記空気調和装置（１）による効果を算出する効果算出部（２５）と、
を備える、空気調和システム（３１）。
【請求項１２】
前記空気調和装置（１）の運転状態及び／または前記効果算出部（２５）により算出された効果を表示可能な表示部（２３）をさらに備える、
請求項１１に記載の空気調和システム（３１）。
【請求項１３】
前記空気調和装置（１）の運転状態及び／または前記効果算出部（２５）により算出された効果を記憶する記憶蓄積部（２６）をさらに備える、
請求項１１または１２に記載の空気調和システム（３１）。
【発明の詳細な説明】
【０００１】
【発明の属する技術分野】
本発明は、空気調和装置、特に熱負荷が大きい室内の空気調和を行う空気調和装置に関する。
【０００２】
【従来の技術】
空気調和装置は、対象となる空間の空気調和を行う装置である。空気調和を行う対象となる空間には、例えば住居、オフィス、店舗、工場など様々な空間がある。
ここで、空気調和の対象となる空間内に発熱源などがある厨房や工場などの空気調和を行う空気調和装置は、空気調和能力以上の過大な熱負荷が対象の空間内に生じる場合に、対象空間を目標環境に空気調和できない（例えば冷却できない）ことがある。このような一時的に過大な熱負荷が生じた場合にできるだけ温度上昇を抑えることが可能な空気調和装置が存在する（例えば、特許文献１参照。）。この特許文献１に挙げられた空気調和装置では、加湿された外気を室内に吹き出すことにより気化熱を利用して冷却を行っている。
【０００３】
【特許文献１】
特開平７−１９５２４号公報
【０００４】
【発明が解決しようとする課題】
冬期には空気調和の対象となる空間の温度上昇が問題にならず目標環境に空気調和が可能である空気調和装置も、夏期においては全般的に温度が上昇するために、夏期に空気調和の対象空間の環境を適切に空気調和できない場合がある。このため、夏期には、一時的な熱負荷上昇であっても空気調和の対象となる空間に対する影響が大きくなり、温度上昇が一時的にならず、目標環境からの乖離が大きくなるおそれがある。
【０００５】
また、特許文献１に挙げられた空気調和装置では、一時的な熱負荷の増加に対して対応できるが、熱負荷が大きい状態が長時間継続すると湿度が上昇するために空間内の環境を悪化させることになる。このため、この空気調和装置は、熱負荷が長時間継続する空間に対しては不適切である。
本発明の課題は、熱負荷が大きい場所の環境をできるだけ目標環境に近づけることができる空気調和装置を提供することにある。
【０００６】
【課題を解決するための手段】
請求項１に記載の空気調和装置は、第１吸込口、第２吸込口、切替手段、空気調和部、及び吹出口を備える。第１吸込口は第１空間から空気を取り込む。第２吸込口は第１空間と異なる第２空間から空気を取り込む。切替手段は、第１吸込口から空気を取り込む第１状態と第２吸込口から空気を取り込む第２状態を切り替える。空気調和部は、第１吸込口または第２吸込口から取り込まれた空気の空気調和を行う。吹出口は、空気調和部で空気調和された空気を第１空間へ供給する。
【０００７】
第１吸込口は、空気調和装置により空気調和がなされた空気が吹き出されている第１空間の空気を取り込む。このため、空気調和をする第１空間に例えば過大な熱負荷が存在する場合において、吹出口から吹き出される空気の空気調和が不十分（例えば高温多湿）であると、やはり第１吸込口から吸い込んだ空気を適切に空気調和できないまま吹出口から吹き出すことになり、結果として目標環境からの乖離がさらに大きくなるおそれがある。
【０００８】
ここでは、空気調和装置が第２吸込口を備えている。第２吸込口は、第１空間とは異なる第２空間から空気を取り込む。このため、第１吸込口から吸い込む空気とは異なる状態の空気を取り込むことが可能となる。よって、切替手段により空気の取り込みを適切に切り替えることにより、空気調和を行う対象となる空間の環境をできるだけ目標環境に近づけることができる。例えば空気調和装置が空気調和を行う対象となる空間内に熱負荷が生じている場合に、第２空間の空気の状態が第１空間の空気の状態よりも低温低湿であるとすると、第２吸込口から空気を取り込むことによって空気調和をより行いやすくなる。よって、空気調和を行う対象となる空間（第１空間）の環境をできるだけ目標環境に近づけることができる。
【０００９】
請求項２に記載の空気調和装置は、請求項１に記載の空気調和装置であって、切替手段の制御を行う切替選択部をさらに備える。
ここでは、空気を取り込む状態を変更する切替手段を切替選択部により制御する。これにより、切替手段の自動切替を行うことが可能となる。
請求項３に記載の空気調和装置は、請求項２に記載の空気調和装置であって、第１状態検知部をさらに備える。第１状態検知部は、第１空間における空気の状態である第１検出値を検知する。また、切替選択部は、第１検出値に基づいて切替手段の制御を行う。
【００１０】
ここでは、第１空間の空気の状態、すなわち空気調和の対象となる空間における空気の状態を第１状態検知部により検知する。また、第１状態検知部で検知された第１検出値に基づいて切替手段の選択を変更する。これにより、第１空間における空気の状態に基づいて、空気の取込先を変更する。よって、第１空間における空気の状態が悪化した場合に、空気の取込先を第２吸込口とする第２状態へと切替手段の状態を変更することにより、第１空間の環境を目標環境により近づけることが可能となる。
【００１１】
請求項４に記載の空気調和装置は、請求項２に記載の空気調和装置であって、切替選択部が第２空間における空気の状態である第２検出値に基づいて切替手段の制御を行う。
ここでは、第２空間の空気の状態である第２検出値に基づいて切替手段の選択を変更する。これにより、第２空間の空気の状態が良好になった場合に、空気の取込先を第２吸込口とする第２状態へと切替手段の状態を変更することにより、第１空間の環境を目標環境により近づけることが可能となる。
【００１２】
なお、第２検出値は、第２空間に設けられた状態検知部から検出されても、気象情報提供会社などから提供される気象情報、またはそれに類する情報を用いてもよい。
請求項５に記載の空気調和装置は、請求項４に記載の空気調和装置であって、第１状態検知部をさらに備える。第１状態検知部は、第１空間における空気の状態である第１検出値を検知する。切替選択部は、第１検出値及び第２検出値に基づいて切替手段の制御を行う。
【００１３】
ここでは、第１空間の空気の状態、すなわち空気調和の対象となる空間における空気の状態を第１状態検知部により検知する。また、第２検出値及び第１状態検知部で検知された第１検出値に基づいて切替手段の選択を変更する。これにより、両吸込口の周辺における空気の状態に基づいて切替手段の選択を行うことが可能となる。
【００１４】
請求項６に記載の空気調和装置は、請求項５に記載の空気調和装置であって、切替選択部が第１検出値から導出される第１指標値と第２検出値から導出される第２指標値とを比較する。切替選択部は、第１指標値が第２指標値に対して所定の劣悪度条件より劣悪である場合に第２状態を選択するよう切替手段を制御する。また、切替選択部は、第１指標値が第２指標値に対して所定の良好度条件より良好である場合に第１状態を選択するよう切替手段を制御する。
【００１５】
ここでは、第１指標値が第２指標値に対して劣悪度条件で指定される条件よりも劣悪な状態である場合に切替選択部が切替手段の状態を第２状態に切り替え、さらに第１指標値が第２指標値に対して良好度条件で指定される条件よりも良好な状態である場合に切替選択部が切替手段の状態を第１状態に切り替える。これにより、空気調和部が空気調和を行いやすい空間から空気を取り込むことになる。よって、第１空間の環境をできるだけ目標環境に近づけることができる。
【００１６】
請求項７に記載の空気調和装置は、請求項２から６のいずれかに記載の空気調和装置であって、スケジュール部をさらに備える。スケジュール部は、スケジュールの設定を行う。切替選択部は、スケジュール部で設定されたスケジュールに基づいて切替手段を制御する。
例えばレストランの厨房などでは、レストランの営業時間において熱負荷が発生する。つまり、レストランの営業時間以外にはそれほど状態が悪化しない。このため、空気の取込先の切替は営業時間中の特定の時間において行えばよい場合が多い。
【００１７】
ここでは、予め設定されたスケジュールに従って切替選択部が切替手段の制御を行う。これにより、熱負荷が増大する時間帯に空気の取込先を変更することができるため、やはり第１空間の環境をできるだけ目標環境に近づけることができる。
なお、対象となる空間内で熱負荷が増大する時間が明らかであればスケジュール設定入力を受け付けてスケジュールを設定したり、第１及び／または第２検出値を検知可能であればその検知結果に基づいて自動的にスケジュールを設定したりしてもよい。
【００１８】
請求項８に記載の空気調和装置は、請求項１から７のいずれかに記載の空気調和装置であって、第２空間が屋外の空間であり、第２吸込口が外気を取り込む。第１空間の空気の状態が悪化すると、外気の方が良好な状態となる場合がある。
ここでは、第２空間が屋外の空間であるため、第２吸込口は外気を取り込む。これにより、外気がより良い状態である場合に、切替手段により外気を取り込むことが可能となる。よって、第１空間の空気よりも外気がより良好である場合に、第１空間の環境をできるだけ目標環境に近づけることができる。
【００１９】
請求項９に記載の空気調和装置は、請求項１から７のいずれかに記載の空気調和装置であって、第２空間の空気が第１空間の空気よりも平均的に良好である。
ここでは、第１空間の空気よりも平均的に良好である第２空間から第２吸込口が空気を取り込む。このため、第１空間の空気よりも第２空間の空気がより良い場合に、切替手段を第２状態にして第２吸込口から空気を取り込むことにより、第１空間の環境をできるだけ目標環境に近づけることができる。
【００２０】
請求項１０に記載の空気調和装置は、請求項８または９に記載の空気調和装置であって、排気装置をさらに備える。排気装置は、第１空間の空気を排気する。
ここでは、第１空間の空気を排気装置により排気する。排気装置が排気を行うことにより、第１空間の気圧を周囲に比べて低下させることができる。このため、第１空間の環境が目的環境と異なる悪い環境である場合にも、この環境の空気が周囲に広がることを抑えることができる。
【００２１】
請求項１１に記載の空気調和システムは、請求項１から１０のいずれかに記載の空気調和装置と、空気調和装置による効果を算出する効果算出部とを備える。
空気調和装置により空気調和を行うことにより、対象となる空間の状態が改善される。
ここでは、効果算出部を備える。この効果算出部は、切替手段により空気の取込先を変更したことによる環境改善度や省エネルギー効果などの効果を算出する。これにより、空気の取込先を切り替える切替手段を有する空気調和装置とその他の空気調和装置との差異を明確にすることができる。
【００２２】
請求項１２に記載の空気調和システムは、請求項１１に記載の空気調和システムであって、表示部をさらに備える。表示部は、空気調和装置の運転状態及び／または効果算出部により算出された効果を表示可能である。
ここでは、表示部を備えているため、空気調和装置の運転状況を確認することができること、及び／または切替手段を有する空気調和装置による効果を確認することができる。効果算出部で算出された効果を表示可能である場合には、効果の確認が容易となる。
【００２３】
請求項１３に記載の空気調和システムは、請求項１１または１２に記載の空気調和システムであって、記憶蓄積部をさらに備える。記憶蓄積部は、空気調和装置の運転状態及び／または効果算出部により算出された効果を記憶する。
ここでは、運転状態及び／または効果を記憶する記憶蓄積部を備えているため、空気調和装置の運転状況の変化及び／または効果の変化を記録することができる。蓄積された運転状況や効果に基づいて、空気調和装置が正常動作しているか否かの確認を行うことができる。
【００２４】
【発明の実施の形態】
［第１実施形態］
本発明の第１実施形態に係る空気調和装置１を図１に示す。この空気調和装置１は、室内または屋外から空気を取り込み、空気調和した空気を室内に供給する。
【００２５】
＜全体の構成＞
空気調和装置１は、空気調和部２、吹出口３、第１吸込口４、第２吸込口５、ダンパ６、排気装置７、及びコントローラ８で構成されている。
空気調和部２は、取り込んだ空気を空気調和する。
吹出口３は、空気調和部２で空気調和された空気を室内に供給する。
【００２６】
第１吸込口４は、空気調和を行う第１空間Ｒ１の、すなわち室内の空気を取り込む。第１吸込口４の近傍には、第１吸込口４で取り込む空気の状態（第１空間Ｒ１の空気の状態）を検知する第１センサ１１が設けられている。第１センサ１１は、少なくとも空気の乾球温度及び相対湿度を検出可能である。
第２吸込口５は、第２空間Ｒ２である屋外からの空気を取り込む。第２吸込口５の近傍には、第２吸込口５で取り込む空気の状態（第２空間Ｒ２の空気の状態）を検知する第２センサ１２が設けられている。第２センサ１２は、第１センサ１１と同様に、少なくとも空気の乾球温度及び相対湿度を検出可能である。
【００２７】
ダンパ６は、空気の取込先を第１吸込口４とする第１状態と空気の取込先を第２吸込口５とする第２状態とを切り替える。
排気装置７は、吹出口３の近傍に設けられており、空気調和を行う室内（第１空間Ｒ１）の空気を屋外に排気する。
コントローラ８は、空気調和部２、ダンパ６、及び排気装置７の制御を行い、また空気調和部２及び排気装置７からそれぞれの状態を受信する。さらに、コントローラ８は、第１センサ１１及び第２センサ１２の検知結果を受信する。コントローラ８は、切替選択部２１、スケジュール部２２、表示部２３及び入力受付部２４を備える。
【００２８】
切替選択部２１は、受信する各種情報に基づいて、ダンパ６の切替を制御する。
スケジュール部２２は、予め設定されたスケジュールに従い、切替選択部２１に対してダンパ６の切替を指示する。
表示部２３は、受信する各種情報に基づいて空気調和装置１の状態を表示する。
【００２９】
入力受付部２４は、空気調和部２が行う空気調和に対する指示（温度設定など）、排気装置７の排気量設定、またスケジュール部２２に対するスケジュール入力などの指示入力を受け付ける。
＜動作＞
空気調和について、第１吸込口４または第２吸込口５から取り込まれる空気の流れに沿って説明する。
【００３０】
まず、ダンパ６が第１吸込口４から空気を取り込む第１状態である場合には、まず室内（第１空間Ｒ１）の空気が第１吸込口４から取り込まれる。第１吸込口４から取り込まれた空気は、配管及びダンパ６を経て空気調和部２に送られる。空気調和部２に送られた空気は、入力受付部２４で指示された設定に従って空気調和がなされる。空気調和された空気は、吹出口３から室内（第１空間Ｒ１）に戻される。これを繰り返すことにより、室内（第１空間Ｒ１）の空気の空気調和を行う。
【００３１】
また、ダンパ６が第２吸込口５から空気を取り込む第２状態である場合には、まず屋外（第２空間Ｒ２）の空気が第１吸込口４から取り込まれる。第２吸込口５から取り込まれた空気は、配管及びダンパ６を経て空気調和部２に送られる。空気調和部２に送られた空気は、入力受付部２４で指示された設定に従って空気調和がなされる。空気調和された空気は、吹出口３から室内に供給される。これを繰り返すことにより、屋外（第２空間Ｒ２）の空気を室内（第１空間Ｒ１）に供給しつつ室内の空気の空気調和を行う。
【００３２】
さらに、室内（第１空間Ｒ１）の空気は、排気装置７により屋外に排気される。
＜ダンパ切替による空気の取込先の切替＞
スケジュール部２２においてダンパ６の切替期間が設定されている場合には、スケジュール部２２の設定に従って切替選択部２１がダンパの切替を行う。
【００３３】
他方、スケジュール部２２で切替期間が設定されていない場合において、切替選択部２１によるダンパ６の切替について図２のフローチャートに従い説明する。切替選択部２１は、このフローチャートに従って例えば１分に１回ダンパの切替の要否を確認する。
ステップＳ１では、第１センサ１１及び第２センサ１２で検知される検出値を取得する。
【００３４】
ステップＳ２では、第１センサ１１及び第２センサ１２で検出される乾球温度及び相対湿度から、第１空間Ｒ１及び第２空間Ｒ２における空気のエンタルピーを算出する。なお高温多湿の環境下では、エンタルピーが大きいほど劣悪な環境であると言える。各センサ１１、１２の検出値から算出されたエンタルピーは、それぞれ第１吸込口４及び第２吸込口５から空気調和装置１に取り込まれる空気の状態に相当する。以下、各センサ１１、１２の検出値から算出されたエンタルピーである第１吸込口４のエンタルピー、及び第２吸込口５のエンタルピーを、それぞれ第１エンタルピー及び第２エンタルピーとする。
【００３５】
なお、空気のエンタルピーは絶対湿度及び乾球温度から算出され、さらに絶対湿度は乾球温度及び相対湿度から算出可能である。
ステップＳ３では、ダンパ６の状態が第１状態であるか第２状態であるかを確認する。ダンパ６の状態が第１状態である場合にはステップＳ４へ、第２状態である場合にはステップＳ６へ移行する。
【００３６】
ステップＳ４では、第１エンタルピーと第２エンタルピーに所定の劣悪度条件αを加算した値とを比較する。劣悪度条件αは、ダンパ６がハンチングを起こさないようにするための所定値であり、例えば１．０ｋＪ／ｋｇである。第１エンタルピーが後者（第２エンタルピー＋劣悪度条件α）以上である場合には、ステップＳ５へ移行する。それ以外の場合にはダンパ６の状態を変更せずに終了する。
【００３７】
ステップＳ５では、ダンパ６の状態を第１状態から第２状態へ変更する。また、排気装置７の能力を増加させて、室内から屋外へ空気を排出する量を増加させる。その後に終了する。
ステップＳ６では、第１エンタルピーと第２エンタルピーに所定の良好度条件βを加算した値とを比較する。良好度条件βは、ダンパ６がハンチングを起こさないようにするための所定値であり、例えば１．０ｋＪ／ｋｇである。第１エンタルピーが後者（第２エンタルピー−良好度条件β）未満である場合には、ステップＳ７へ移行する。それ以外の場合にはダンパ６の状態を変更せずに終了する。
【００３８】
ステップＳ７では、ダンパ６の状態を第２状態から第１状態へ変更する。また、排気装置７の能力を抑制して、室内から屋外へ空気を排出する量を減少させる。その後に終了する。
＜特徴＞
第１実施形態に係る空気調和装置１では、空気調和を行う室内（第１空間Ｒ１）の空気を取り込む第１吸込口４に加えて、屋外（第２空間Ｒ２）の空気を取り込む第２吸込口５を備える。空気調和装置１が空気調和を行う第１空間Ｒ１の環境に基づいて、切替選択部２１がダンパ６を制御して空気の取込先を変更する。
【００３９】
室内（第１空間Ｒ１）の環境が不快になったために室内の空気を（第１吸込口４から）取り込んでも空気調和が不十分になり、また屋外の環境が室内よりもある程度快適である場合には、空気の取込先を屋外（第２吸込口５）に変更して屋外（第２空間Ｒ２）の空気を空気調和部２に送る。これにより、室内（第１空間Ｒ１）の環境を目的環境（できるだけ快適な環境）に近づけることが可能となる。
【００４０】
また、例えば昼間など所定の期間に室内（第１空間Ｒ１）の環境が悪化することが分かっている場合には、スケジュール部２２において設定された切替期間に従ってダンパ６の状態の変更を行う。これにより、室内環境をより良くすることが可能となる。
また、排気装置７が吹出口３の近傍に備えられており、第１空間Ｒ１の空気を排気する。第２吸込口５から屋外（第２空間Ｒ２）の空気を取り込む際には、室内（第１空間Ｒ１）に空気が供給されることになるため、第１空間Ｒ１における気圧が上昇することになる。第２吸込口５から屋外（第２空間Ｒ２）の空気を取り込む場合には、第１空間Ｒ１が不快な環境である場合に相当する。このため、第１空間Ｒ１における気圧が上昇することにより、第１空間Ｒ１における不快な状態の空気が周囲に拡散するおそれがある。ここでは、第２吸込口５から屋外（第２空間Ｒ２）の空気を取り込む際には、排気装置７の能力を増加させて第１空間Ｒ１における気圧上昇を抑える。これにより、第１空間Ｒ１における不快な状態の空気が周囲に拡散するおそれを抑制することができる。
【００４１】
＜第１実施形態における他の実施形態＞
（ａ）
第１実施形態に係る空気調和装置１では、コントローラ８の切替選択部２１がダンパ６の状態の切替を行う。ここで、室内の利用者が不快を感じた場合に、入力受付部２６に空気の取込先の変更入力を受け付けることにより、ダンパ６の状態の切替を行えるようになっていても良い。また、空気調和装置１が切替選択部２１及びスケジュール部２２を有しておらず、常に手動でダンパ６の切替が行われるようになっていても良い。
【００４２】
（ｂ）
第１実施形態に係る空気調和装置１では、第２吸込口５の近傍に設けられている第２センサ１２により、第２吸込口５で取り込む空気の状態（第２空間Ｒ２における空気の状態）を検知している。第２吸込口５からは外気が取り込まれるため、外気の状態を他の手段、例えば気象情報で取得して、気象情報を第２センサ１２で検知される検出値の代わりに用いても良い。
【００４３】
（ｃ）
第１実施形態に係る空気調和装置１では、第１センサ１１及び第２センサ１２の検出値に基づいて空気の取込先の変更を行っている。しかし、センサ点数を減らして、第１センサ１１の検出値のみ、又は第２センサ１２の検出値のみに基づいてダンパ６の切替を行ってもよい。この場合には、センサの設置点数を減らすことができるので、安価な空気調和装置を提供することが可能となる。
【００４４】
例えば、第２センサ１２の検出値に含まれる乾球温度及び相対湿度からエンタルピーを算出し、このエンタルピーの値が１６ｋＪ／ｋｇ以下である場合にダンパ６を第２吸込口５に切り替えて外気を取り込むようにする、などである。
（ｄ）
第１実施形態に係る空気調和装置１では、第２吸込口５が屋外に設けられており、第２空間Ｒ２である屋外の空気を取り込む。ここで、第２空間Ｒ２が第１空間Ｒ１と異なり且つ第１空間Ｒ１の空気よりも平均的に良好である箇所であるとし、この空間の空気を取り込む場所に第２吸込口５が設けられていても良い。この場合にも、室内環境を快適な環境に近づけることが容易になる。例えば、空気調和装置１の第１吸込口４が南側に窓がある部屋に設けられており、第２吸込口５が同一の建物の北側の部屋に設けられているとすると、夏期に第２吸込口５から空気を取り込むことにより、空気調和の対象となる部屋の環境を比較的容易に良くすることができる。
【００４５】
［第２実施形態］
本発明の第２実施形態に係る空気調和装置３１を図３に示す。この空気調和装置３１は、室内または屋外から空気を取り込み、空気調和した空気を室内に供給する。また、空気の取込先の変更による効果を表示及び記録可能である。
空気調和装置３１は、基本的に空気調和装置１と同様であるため、差異のみを記載する。
【００４６】
＜全体の構成＞
空気調和装置３１は、第１実施形態の空気調和装置１と同様に、空気調和部２、吹出口３、第１吸込口４、第２吸込口５、ダンパ６、排気装置７、及びコントローラ８で構成されている。
吹出口３は、空気調和部２で空気調和された空気を室内に供給する。また、吹出口３には、供給される空気の状態を検知する吹出口センサ１０が設けられている。
【００４７】
コントローラ８は、空気調和部２、ダンパ６、及び排気装置７の制御を行い、また空気調和部２及び排気装置７からそれぞれの状態を受信する。さらに、コントローラ８は、各センサ１０、１１、１２の検知結果を受信する。コントローラ８は、切替選択部２１、スケジュール部２２、表示部２３、入力受付部２４、効果算出部２５、及び記憶蓄積部２６を備える。
【００４８】
表示部２３は、受信する各種情報に基づいて空気調和装置１の状態を表示し、また効果算出部２５で算出された環境改善度や省エネルギー効果を表示する。
効果算出部２５は、ダンパ６の切替で空気の取込先を変更したことにより、室内の環境の改善度を算出したり、省エネルギー効果を算出したりする。
記憶蓄積部２６は、受信する各種情報に基づいた空気調和装置１の状態の変化や、効果算出部２５で算出された環境改善度や省エネルギー効果の変化を記憶蓄積する。
【００４９】
＜改善度の算出＞
効果算出部２５による環境の改善度の算出手順について以下に示す。
空気調和部２に対する設定温度、空気調和部２が取り込む空気のエンタルピー、及び室外温度（第２センサ１２が検知する第２空間Ｒ２の空気の温度）が分かると、空気調和部２で空気調和されて吹出口３から室内に供給される空気の温度（吹き出し温度）を算出することが可能である。この吹き出し温度の変化に基づいて、改善度の算出を行う。
【００５０】
第２吸込口５から外気を取り込んでいる際に、効果算出部２５は、まず設定温度、第１センサ１１から算出される第１エンタルピー、及び第２センサ１２で検知される外気の乾球温度から第１吹き出し温度を算出する。一方、実際に吹出口３から供給される空気の温度であり、吹出口センサ１０で検出される第２吹き出し温度を効果算出部２５が取得する。そして、効果算出部２５は、第１吹き出し温度と第２吹き出し温度とを比較し、第１吹き出し温度と第２吹き出し温度との差の温度を改善度とする。
【００５１】
記憶蓄積部２６は、この改善度の変化を記憶し蓄積する。また、表示部２３は、効果算出部２５で算出された改善度及び記憶蓄積部２６に蓄積される過去の改善度を表示可能である。
＜省エネルギー効果の算出＞
効果算出部２５による省エネルギー効果の算出手順について以下に示す。
【００５２】
空気調和部２に対する設定温度、空気調和部２が取り込む空気のエンタルピー、及び室外温度（第２センサ１２が検知する第２空間Ｒ２の空気の温度）が分かると、空気調和部２が消費する消費電力を算出することが可能である。算出される予想消費電力と実際に消費される消費電力とを比較することにより省エネルギー効果を算出する。
【００５３】
第２吸込口５から外気を取り込んでいる際に、効果算出部２５は、まず設定温度、第１センサ１１から算出される第１エンタルピー、及び第２センサ１２で検知される外気の乾球温度から空気調和部２の予測消費電力を算出する。一方、実際に空気調和部２で消費される実消費電力を空気調和部２から効果算出部２５が取得する。効果算出部２５は、予測消費電力と実消費電力とを比較し、予測消費電力と実消費電力との電力差を省エネルギー効果とする。
【００５４】
記憶蓄積部２６は、この省エネルギー効果の変化を記憶し蓄積する。また、表示部２３は、効果算出部２５で算出された省エネルギー効果及び記憶蓄積部２６に蓄積される過去の省エネルギー効果（所定期間の積分値など）を表示可能である。
＜特徴＞
第２実施形態における空気調和装置３１は、効果算出部２５を備える。効果算出部２５は、ダンパ６の状態を変更して空気の取込先を切り替えたことにより、環境の改善度や省エネルギー効果を算出することが可能となる。よって、空気調和装置３１と、空気の取込先の変更が行えない他の空気調和装置との差異を明確にすることができる。
【００５５】
また、効果算出部２５で算出された環境の改善度や省エネルギー効果は、表示部２３において表示可能となっている。これにより、空気調和装置３１の利用者などに対して効果などを明示することが可能となっている。
さらに、効果算出部２５で算出された環境の改善度や省エネルギー効果は、記憶蓄積部２６において蓄積することが可能となっている。これにより、効果の経時変化などを確認することが可能となるため、例えば空気調和装置３１の故障監視などを行うことが可能となる。
【００５６】
＜第２実施形態における他の実施形態＞
第２実施形態に係る空気調和装置３１では、コントローラ８の効果算出部２５が算出した環境の改善度や省エネルギー効果を表示部２３で表示している。ここで、コントローラ８がネットワークを介して遠隔監視センターに接続可能であり、効果算出部２５の算出データを遠隔監視センターに送信可能であっても良い。この場合には、遠隔監視センターにおいて空気調和装置３１の故障監視などを行うことが可能となる。
【００５７】
【発明の効果】
請求項１に記載の空気調和装置では、空気調和を行う対象となる空間（第１空間）の環境をできるだけ目標環境に近づけることができる。
請求項２に記載の空気調和装置では、切替手段の自動切替を行うことが可能となる。
【００５８】
請求項３に記載の空気調和装置では、第１空間における空気の状態が悪化した場合に、空気の取込先を第２吸込口とする第２状態へと切替手段の状態を変更することにより、第１空間の環境を目標環境により近づけることが可能となる。
請求項４に記載の空気調和装置では、第２空間の空気の状態が良好になった場合に、空気の取込先を第２吸込口とする第２状態へと切替手段の状態を変更することにより、第１空間の環境を目標環境により近づけることが可能となる。
【００５９】
請求項５に記載の空気調和装置では、両吸込口の周辺における空気の状態に基づいて切替手段の選択を行うことが可能となる。
請求項６に記載の空気調和装置では、第１空間の環境をできるだけ目標環境に近づけることができる。
請求項７に記載の空気調和装置では、熱負荷が増大する時間帯に空気の取込先を変更することができるため、第１空間の環境をできるだけ目標環境に近づけることができる。
【００６０】
請求項８に記載の空気調和装置では、第１空間の空気よりも外気がより良好である場合に、第１空間の環境をできるだけ目標環境に近づけることができる。
請求項９に記載の空気調和装置では、第１空間の空気よりも第２空間の空気がより良い場合に、切替手段を第２状態にして第２吸込口から空気を取り込むことにより、第１空間の環境をできるだけ目標環境に近づけることができる。
【００６１】
請求項１０に記載の空気調和装置では、第１空間の環境が目的環境と異なる悪い環境である場合に、この環境の空気が周囲に広がることを抑えることができる。
請求項１１に記載の空気調和システムでは、切替手段による効果を算出するため、空気の取込先を切り替える切替手段を有する空気調和装置とその他の空気調和装置との差異を明確にすることができる。
【００６２】
請求項１２に記載の空気調和システムでは、空気調和装置の運転状況や切替手段による効果を確認することができる。
請求項１３に記載の空気調和システムでは、蓄積された運転状況や効果に基づいて、空気調和装置が正常動作しているか否かの確認を行うことができる。
【図面の簡単な説明】
【図１】第１実施形態に係る空気調和装置の概要図。
【図２】切替選択部によるダンパの切替のフローチャート。
【図３】第２実施形態に係る空気調和装置の概要図。
【符号の説明】
１、３１  空気調和装置
２  空気調和部
３  吹出口
４  第１吸込口
５  第２吸込口
６  ダンパ
７  排気装置
８  コントローラ
１０  吹出口センサ
１１  第１センサ
２１  切替選択部
２２  スケジュール部
２３  表示部
２５  効果算出部
２６  記憶蓄積部
Ｒ１  第１空間
Ｒ２  第２空間
【図１】
2004239461.tif 000003
【図２】
2004239461.tif 000004
【図３】
2004239461.tif 000005